(57)【要約】【課題】ドライブ能力を制御して消費電力を削減する撮像装置および撮像装置の制御方法を提供する。【解決手段】固体撮像素子により入射される被写体光像を光電変換して撮像信号として出力し、固体撮像素子が駆動する駆動信号を駆動信号発生部により基準クロック信号に比例する周期で発生させ、発生した駆動信号をドライバにより固体撮像素子に与え、所定の条件においてドライブ能力を変更するようにドライバを制御する。【選択図】図２
2008236718.tif 000002
【特許請求の範囲】
【請求項１】
入射される被写体光像を光電変換し撮像信号として出力する固体撮像素子と、
クロック周波数が可変である基準クロック発生部と、
前記固体撮像素子が駆動する駆動信号を基準クロック信号に比例する周期で発生する駆動信号発生部と、
前記駆動信号発生部から発生する前記駆動信号を前記固体撮像素子に与えるドライバと、
前記ドライバを制御する制御手段とを有し、
前記制御手段は、所定の条件においてドライブ能力を変更するように前記ドライバを制御することを特徴とする撮像装置。
【請求項２】
前記所定の条件は、基準クロックの周波数であり、前記制御手段は、前記基準クロックの周波数に応じてドライブ能力を変更するように前記ドライバを制御することを特徴とする請求項１に記載の撮像装置。
【請求項３】
前記所定の条件は、ＩＳＯ感度であり、前記ＩＳＯ感度を変更するＩＳＯ感度変更手段をさらに有し、前記制御手段は、前記ＩＳＯ感度変更手段により変更された前記ＩＳＯ感度に応じて前記ドライブ能力を変更するように前記ドライバを制御することを特徴とする請求項１に記載の撮像装置。
【請求項４】
前記所定の条件は、電源種別であり、少なくとも２種類の電源を選択的に使用可能な電源部と、使用電源種類を判別する電源種類判別手段とをさらに有し、前記制御手段は、前記電源種類判別手段で判別された電源種別によって、前記ドライブ能力を変更するように前記ドライバを制御することを特徴とする請求項１に記載の撮像装置。
【請求項５】
前記所定の条件は、環境温度であり、前記環境温度を測定する温度センサをさらに有し、前記制御手段は、前記温度センサで測定された前記環境温度によって、前記ドライブ能力を変更するように前記ドライバを制御することを特徴とする請求項１に記載の撮像装置。
【請求項６】
前記所定の条件は、画像サイズであり、前記画像サイズを変更する画像サイズ変更手段をさらに有し、前記制御手段は、前記画像サイズ変更手段により変更された前記画像サイズに応じて前記ドライブ能力を変更するように前記ドライバを制御することを特徴とする請求項１に記載の撮像装置。
【請求項７】
固体撮像素子により入射される被写体光像を光電変換し撮像信号として出力する出力工程と、
前記固体撮像素子が駆動する駆動信号を駆動信号発生部により基準クロック信号に比例する周期で発生させる発生工程と、
発生した前記駆動信号をドライバにより前記固体撮像素子に与える工程と、
所定の条件においてドライブ能力を変更するように前記ドライバを制御する制御工程とを有することを特徴とする撮像装置の制御方法。
【請求項８】
前記所定の条件は、基準クロックの周波数であり、前記制御工程は、前記基準クロックの周波数に応じてドライブ能力を変更するように前記ドライバを制御することを特徴とする請求項７に記載の撮像装置の制御方法。
【請求項９】
前記所定の条件は、ＩＳＯ感度であり、前記ＩＳＯ感度を変更するＩＳＯ感度変更工程をさらに有し、前記制御工程は、前記ＩＳＯ感度変更工程により変更された前記ＩＳＯ感度に応じて前記ドライブ能力を変更するように前記ドライバを制御することを特徴とする請求項７に記載の撮像装置の制御方法。
【請求項１０】
前記所定の条件は、電源種別であり、少なくとも２種類の電源を選択的に使用可能な電源部から使用電源種類を判別する電源種類判別工程とをさらに有し、前記制御工程は、前記電源種類判別工程で判別された電源種別によって前記ドライブ能力を変更するように前記ドライバを制御することを特徴とする請求項７に記載の撮像装置の制御方法。
【請求項１１】
前記所定の条件は、環境温度であり、前記制御工程は、前記環境温度を測定する温度センサにより測定された前記環境温度によって前記ドライブ能力を変更するように前記ドライバを制御することを特徴とする請求項７に記載の撮像装置の制御方法。
【請求項１２】
前記所定の条件は、画像サイズであり、前記画像サイズを変更する画像サイズ変更工程をさらに有し、前記制御工程は、前記画像サイズ変更工程により変更された前記画像サイズに応じて前記ドライブ能力を変更するように前記ドライバを制御することを特徴とする請求項７に記載の撮像装置の制御方法。
【発明の詳細な説明】
【技術分野】
【０００１】
本発明は、消費電力の削減を図る撮像装置および撮像装置の制御方法に関する。
【背景技術】
【０００２】
近年、固体撮像素子（例えば、ＣＣＤ）の更なる高画素化が進み、それに伴い固体撮像素子に与える読み出し駆動パルスの高速化も進んでいる。また、撮像装置への手振れ補正機能の搭載に伴い撮像素子をシフトさせる方式では、撮像素子を負荷が少なくスムーズにシフトさせるために固体撮像素子と駆動信号を発生するＩＣの配線長が長くなる傾向にある。次に、これに関連する技術を開示する。
【０００３】
上記クロックの高速化、配線長の延長の影響により駆動信号がなまり、正常に固体撮像素子が駆動できないという問題がある。そのため、駆動信号発生ＩＣにドライブ能力を変更可能なバッファを備えたものが出始めている。一方で、ドライブ能力を上げることにより消費電力が増加するため、ドライブ能力を上げるのは最小限に抑えることが望まれる。
【０００４】
また、ドライブ能力を変更することによって信号に流れる電流量が変化するが、この場合に、ドライブ能力を上げると電流量が増加し、ドライブ能力を下げると電流量が減少する。
【０００５】
上記において、電流量を増やすことにより、駆動信号パルスの立ち上がり、立ち下がりが急峻となり駆動信号のなまりが解消されるが、消費電力も増加するため、ドライブ能力を上げるのは最小限に抑えることが望まれる。
【０００６】
例えば、特許文献１は、固体電子撮像装置の読み出しモードに応じて固体電子撮像装置に与える読み出し駆動パルスのドライブ能力を変更する方法が開示されている。低速読み出し時には高速読み出し時よりもドライブ能力を低下するように駆動し消費電力の削減を図っている。
【特許文献１】特開２００４−３２０１７７号公報
【発明の開示】
【発明が解決しようとする課題】
【０００７】
しかし、特許文献１は、低速読み出し時に高速読み出し時よりもドライブ能力を低下するように駆動し消費電力の削減を図っているが、より細かく様々な条件に応じたドライブ能力の制御を行うことが課題として残る。
【０００８】
そこで本発明では、様々な条件に応じたドライブ能力の制御を行う撮像装置および撮像装置の制御方法を提供することを目的とする。
【課題を解決するための手段】
【０００９】
上記の目的を達成するため、請求項１に記載の発明は、入射される被写体光像を光電変換し撮像信号として出力する固体撮像素子と、クロック周波数が可変である基準クロック発生部と、前記固体撮像素子が駆動する駆動信号を基準クロック信号に比例する周期で発生する駆動信号発生部と、前記駆動信号発生部から発生する前記駆動信号を前記固体撮像素子に与えるドライバと、前記ドライバを制御する制御手段とを有し、前記制御手段は、所定の条件においてドライブ能力を変更するように前記ドライバを制御する撮像装置であることを特徴とする。
【００１０】
請求項２に記載の発明は、請求項１に記載の撮像装置において、前記所定の条件は、基準クロックの周波数であり、前記制御手段は、前記基準クロックの周波数に応じてドライブ能力を変更するように前記ドライバを制御することを特徴とする。
【００１１】
請求項３に記載の発明は、請求項１に記載の撮像装置において、前記所定の条件は、ＩＳＯ感度であり、前記ＩＳＯ感度を変更するＩＳＯ感度変更手段をさらに有し、前記制御手段は、前記ＩＳＯ感度変更手段により変更された前記ＩＳＯ感度に応じて前記ドライブ能力を変更するように前記ドライバを制御することを特徴とする。
【００１２】
請求項４に記載の発明は、請求項１に記載の撮像装置において、前記所定の条件は、電源種別であり、少なくとも２種類の電源を選択的に使用可能な電源部と、使用電源種類を判別する電源種類判別手段とをさらに有し、前記制御手段は、前記電源種類判別手段で判別された電源種別によって前記ドライブ能力を変更するように前記ドライバを制御することを特徴とする。
【００１３】
請求項５に記載の発明は、請求項１に記載の撮像装置において、前記所定の条件は、環境温度であり、前記環境温度を測定する温度センサをさらに有し、前記制御手段は、前記温度センサで測定された前記環境温度によって前記ドライブ能力を変更するように前記ドライバを制御することを特徴とする。
【００１４】
請求項６に記載の発明は、請求項１に記載の撮像装置において、前記所定の条件は、画像サイズであり、前記画像サイズを変更する画像サイズ変更手段をさらに有し、前記制御手段は、前記画像サイズ変更手段により変更された前記画像サイズに応じて前記ドライブ能力を変更するように前記ドライバを制御することを特徴とする。
【００１５】
請求項７に記載の発明は、固体撮像素子により入射される被写体光像を光電変換し撮像信号として出力する出力工程と、前記固体撮像素子が駆動する駆動信号を駆動信号発生部により基準クロック信号に比例する周期で発生させる発生工程と、発生した前記駆動信号をドライバにより前記固体撮像素子に与える工程と、所定の条件においてドライブ能力を変更するように前記ドライバを制御する制御工程とを有する撮像装置の制御方法であることを特徴とする。
【００１６】
請求項８に記載の発明は、請求項７に記載の撮像装置の制御方法において、前記所定の条件は、基準クロックの周波数であり、前記制御工程は、前記基準クロックの周波数に応じてドライブ能力を変更するように前記ドライバを制御することを特徴とする。
【００１７】
請求項９に記載の発明は、請求項７に記載の撮像装置の制御方法において、前記所定の条件は、ＩＳＯ感度であり、前記ＩＳＯ感度を変更するＩＳＯ感度変更工程をさらに有し、前記制御工程は、前記ＩＳＯ感度変更工程により変更された前記ＩＳＯ感度に応じて前記ドライブ能力を変更するように前記ドライバを制御することを特徴とする。
【００１８】
請求項１０に記載の発明は、請求項７に記載の撮像装置の制御方法において、前記所定の条件は、電源種別であり、少なくとも２種類の電源を選択的に使用可能な電源部から使用電源種類を判別する電源種類判別工程とをさらに有し、前記制御工程は、前記電源種類判別工程で判別された電源種別によって前記ドライブ能力を変更するように前記ドライバを制御することを特徴とする。
【００１９】
請求項１１に記載の発明は、請求項７に記載の撮像装置の制御方法において、前記所定の条件は、環境温度であり、前記制御工程は、前記環境温度を測定する温度センサにより測定された前記環境温度によって前記ドライブ能力を変更するように前記ドライバを制御することを特徴とする。
【００２０】
請求項１２に記載の発明は、請求項７に記載の撮像装置の制御方法において、前記所定の条件は、画像サイズであり、前記画像サイズを変更する画像サイズ変更工程をさらに有し、前記制御工程は、前記画像サイズ変更工程により変更された前記画像サイズに応じて前記ドライブ能力を変更するように前記ドライバを制御することを特徴とする。
【発明の効果】
【００２１】
本発明によれば、様々な条件に応じたドライブ能力の制御を行い、消費電力を削減する撮像装置および撮像装置の制御方法を提供することを可能とする。
【発明を実施するための最良の形態】
【００２２】
以下、図面を用いて本発明を実施する上での好適な実施の形態について説明する。
本実施形態は、これに限定されるものではなく、趣旨を逸脱しない範囲で適用可能とする。
なお、本実施形態では、撮像装置にデジタルカメラを適用する。
図１、２は、本実施形態に用いるデジタルカメラの外観図を示し、図３は、本実施形態に用いるデジタルカメラの制御系のブロック図を示す。
なお、本実施形態では、固体撮像素子をＣＣＤ１０１とし、基準クロック発生部は、基準クロック発生部１３０を示し、駆動信号発生部は、ＴＧ１０２４を示し、ドライバは、バッファＩＣ１５０を示し、様々な所定の条件においてドライブ能力を変更する制御手段は、バッファＩＣ１５０自身、または、駆動信号発生部ＴＧ１０２４、または、カメラプロセッサ１０４を示す。
【００２３】
図２に示すように、本実施形態のデジタルカメラは、カメラ上面には、サブＬＣＤ１と、レリーズボタン２と、撮影／再生切り換えダイヤル４とを有する。サブＬＣＤ１は、例えば、撮影可能枚数など表示するための表示部である。また、カメラ正面には、ストロボ発光部３と、測距ユニット５と、リモコン受光部６と、鏡胴ユニット７と、光学ファインダー（正面）１１ａとを有する。メモリカードスロットル１２１０は、メモリカード１２１１を挿入するスロットルを示し、カメラ側面に設けてある。更に、カメラ裏面には、ＡＦＬＥＤ（オートフォーカスＬＥＤ）８と、ストロボＬＥＤ９と、ＬＣＤモニタ１０と、光学ファインダー（裏面）１１ｂと、ズームボタン１２と、電源スイッチ１３と、操作部１４とを有する。１５は、頻繁に使うセルフタイマである。１６は、メニュースイッチである。１７は、ＯＫスイッチである。１８から２１は、上下左右スイッチである。２０は、上スイッチまたはストロボスイッチである。２１は、右スイッチである。１９は、下スイッチまたはマクロスイッチである。１８は、左スイッチまたは電源確認スイッチである。２２は、ディスプレイスイッチであり、画像を表示する。
【００２４】
図１、２、３に基づいて本実施形態のデジタルカメラの動作について説明する。図１は、本実施形態に用いるデジタルカメラの簡潔な外観図を示す。図２は、本実施形態に用いるデジタルカメラの詳細な外観図を示す。図３は、本実施形態に用いるデジタルカメラの制御系のブロック図を示す。
【００２５】
図１、図２、図３において、ストロボ発光部３、ストロボ回路１１４は、自然光などの光が足りない場合に光量を補う装置である。暗い場所や被写体が暗い場合の撮影においては、後述するデジタルスチルカメラプロセッサ１０４からストロボ回路１１４にストロボ発光信号を送信し、ストロボ回路１１４は、ストロボ発光部３を発光させ被写体を明るくする。
【００２６】
測距ユニット５は、カメラと被写体との距離を測る装置である。現在、デジタルカメラでは、撮像素子（ＣＣＤ１０１）に形成された像のコントラストを検出し、最もコントラストの高い位置にレンズを移動させてフォーカスを合わせるＣＣＤ−ＡＦ方式が用いられている。しかし、ＣＣＤ−ＡＦ方式は、レンズを少しずつ動かしコントラストを探していくためフォーカス動作が遅いという問題があった。そこで、測距ユニット５を用いて被写体との距離情報を常に取得し、距離情報からレンズを一気に移動してフォーカス動作を高速化している。温度センサ１２４は環境温度を測定する装置で、カメラ内外の温度を測定し、温度が異常に上昇している場合にはカメラの電源を落としたり、温度センサ１２４のデータを参照してカメラの制御内容を変更したりする。
【００２７】
鏡胴ユニット７は、被写体の光学画像を取り込むズームレンズ７０１、ズーム駆動モータ７１１からなるズーム光学系７１、フォーカスレンズ７０２、フォーカス駆動モータ７１２からなるフォーカス光学系７２、絞り７０３、絞りモータ７１３からなる絞りユニット７３、メカシャッタ７０４、メカシャッタモータ７１４からなるメカシャッタユニット７４、各モータを駆動するモータドライバ７５０を有する。そして、モータドライバ７５０は、リモコン受光部６入力や操作部Ｋｅｙユニット（１６から２２など）の操作入力に基づく、後述するカメラプロセッサ１０４内にあるＣＰＵブロック１０４３からの駆動指令により駆動制御される。ＲＯＭ１０８には、ＣＰＵブロック１０４３にて解読可能なコードで記述された、制御プログラムや制御するためのパラメータが格納されている。このデジタルカメラの電源がオン状態になると、前記プログラムは不図示のメインメモリにロードされ、前記ＣＰＵブロック１０４３はそのプログラムに従って装置各部の動作を制御するとともに、制御に必要なデータ等を、一時的に、ＲＡＭ１０７、および後述するカメラプロセッサ１０４内にあるＬｏｃａｌ  ＳＲＡＭ１０４４に保存する。ＲＯＭ１０８に書き換え可能なフラッシュＲＯＭを使用することで、制御プログラムや制御するためのパラメータを変更することが可能となり、機能のＶｅｒＵｐが容易に行える。
【００２８】
ＣＣＤ１０１は、光学画像を光電変換するための固体撮像素子であり、Ｆ／Ｅ（フロントエンド）−ＩＣ１０２は、画像ノイズ除去用相関二重サンプリングを行うＣＤＳ１０２１、利得調整を行うＡＧＣ１０２２、ディジタル信号変換を行うＡ／Ｄ１０２３、第１ＣＣＤ信号処理ブロック１０４１より、垂直同期信号（以下、ＶＤと記す。）、水平同期信号（以下、ＨＤと記す。）を供給され、ＣＰＵブロック１０４３によって制御されるＣＣＤ１０１、およびＦ／Ｅ−ＩＣ１０２の駆動タイミング信号を発生するＴＧ１０２４を有する。
【００２９】
カメラプロセッサ１０４は、ＣＣＤ１０１よりＦ／Ｅ―ＩＣ１０２の出力データにホワイトバランス設定やガンマ設定を行い、また、前述したように、ＶＤ信号、ＨＤ信号を供給する第１ＣＣＤ信号処理ブロック１０４１、フィルタリング処理により、輝度データ・色差データへの変換を行う第２ＣＣＤ信号処理ブロック１０４２、前述した装置各部の動作を制御するＣＰＵブロック１０４３、前述した制御に必要なデータ等を、一時的に、保存するＬｏｃａｌ  ＳＲＡＭ１０４４、パソコンなどの外部機器とＵＳＢ通信を行うＵＳＢブロック１０４５、パソコンなどの外部機器とシリアル通信を行うシリアルブロック１０４６、ＪＰＥＧ圧縮・伸張を行うＪＰＥＧ  ＣＯＤＥＣブロック１０４７、画像データのサイズを補間処理により拡大／縮小するＲＥＳＩＺＥブロック１０４８、画像データを液晶モニタやＴＶなどの外部表示機器に表示するためのビデオ信号に変換するＴＶ信号表示ブロック１０４９、撮影された画像データを記録するメモリカード１２１１の制御を行うメモリカードコントローラブロック１０４０を有する。
【００３０】
ＳＤＲＡＭ１０３は、前述したカメラプロセッサ１０４で画像データに各種処理を施す際に、画像データを一時的に保存する。保存される画像データは、例えば、ＣＣＤ１０１から、Ｆ／Ｅ−ＩＣ１０２を経由して取りこんで、第１ＣＣＤ信号処理ブロック１０４１でホワイトバランス設定、ガンマ設定が行われた状態の「ＲＡＷ−ＲＧＢ画像データ」や第２ＣＣＤ信号処理ブロック１０４２で輝度データ・色差データ変換が行われた状態の「ＹＵＶ画像データ」、ＪＰＥＧ  ＣＯＤＥＣブロック１０４７で、ＪＰＥＧ圧縮された「ＪＰＥＧ画像データ」などである。
【００３１】
メモリカードスロットル１２１０は、着脱可能なメモリカード１２１１を装着するためのスロットルである。内蔵メモリ１２０は、前述したメモリカードスロットル１２１０にメモリカード１２１１が装着されていない場合でも、撮影した画像データを記憶できるようにするためのメモリである。
【００３２】
ＬＣＤドライバ１１７は、後述するＬＣＤモニタ１０に駆動するドライブ回路であり、ＴＶ信号表示ブロック１０４９から出力されたビデオ信号を、ＬＣＤモニタ１０に表示するための信号に変換する機能も有している。ＬＣＤモニタ１０は、撮影前に被写体の状態を監視する、撮影した画像を確認する、メモリカード１２１１や前述した内蔵メモリ１２０に記録した画像データを表示する、などを行うためのモニタである。
【００３３】
ビデオＡＭＰ１１８は、ＴＶ信号表示ブロック１０４９から出力されたビデオ信号を、７５Ωインピーダンス変換するためのアンプであり、ビデオジャック１１９は、ＴＶなどの外部表示機器と接続するためのジャックである。ＵＳＢコネクタ１２２は、パソコンなどの外部機器とＵＳＢ接続を行う為のコネクタである。
【００３４】
シリアルドライバ回路１２３１は、パソコンなどの外部機器とシリアル通信を行うために、前述したシリアルブロック１０４６の出力信号を電圧変換するための回路であり、ＲＳ−２３２Ｃコネクタ１２３２は、パソコンなどの外部機器とシリアル接続を行う為のコネクタである。ＳＵＢ−ＣＰＵ１０９は、ＲＯＭ、ＲＡＭをワンチップに内蔵したＣＰＵであり、操作Ｋｅｙユニットやリモコン受光部６の出力信号をユーザの操作情報として、前述したＣＰＵブロック１０４３に出力したり、前述したＣＰＵブロック１０４３より出力されるカメラの状態を、後述するサブＬＣＤ１、ＡＦ  ＬＥＤ８、ストロボＬＥＤ９、ブザー１１３の制御信号に変換して、出力する。
【００３５】
サブＬＣＤ１は、例えば、撮影可能枚数など表示するための表示部であり、ＬＣＤドライバ１１１は、前述したＳＵＢ−ＣＰＵ１０９の出力信号より、前述したサブＬＣＤ１を駆動するためのドライブ回路である。ＡＦ  ＬＥＤ８は、撮影時の合焦状態を表示するためのＬＥＤであり、ストロボＬＥＤ９は、ストロボ充電状態を表すためのＬＥＤである。なお、このＡＦ  ＬＥＤ８とストロボＬＥＤ９を、メモリカードアクセス中などの別の表示用途に使用しても良い。操作Ｋｅｙユニットは、ユーザーが操作するＫｅｙ回路であり、リモコン受光部６は、ユーザーが操作したリモコン送信機の信号の受信部である。
【００３６】
音声記録ユニット１１５は、ユーザーが音声信号を入力するマイク１１５３、入力された音声信号を増幅するマイクＡＭＰ１１５２、増幅された音声信号を記録する音声記録回路１１５３からなる。音声再生ユニット１１６は、記録された音声信号をスピーカーから出力できる信号に変換する音声再生回路１１６１、変換された音声信号を増幅し、スピーカーを駆動するためのオーディオＡＭＰ１１６２、音声信号を出力するスピーカー１１６３からなる。
【００３７】
次に、上述のように構成されたデジタルカメラのＣＣＤセンサ、パルス制御、ドライバ能力について、図３、図４、図５、図６、図７を用いて説明する。
図４は、本実施形態の撮像装置におけるＣＣＤセンサの構成を示す図である。
図５は、本実施形態の撮像装置におけるＣＣＤセンサの駆動を説明する図である。（ａ）は、水平転送路側から垂直転送路に転送されるものを示す。（ｂ）は、垂直転送路に読み出された電荷を水平転送路方向に順次転送されるものを示す。（ｃ）は、水平転送路に読み出された電荷をＦＤアンプ側に順次転送されるものを示す。
図６は、本実施形態の撮像装置における水平転送パルスを示す図である。
図７は、本実施形態の撮像装置におけるバッファＩＣのドライブ能力変更の説明をするための図である。
図８は、本実施形態の撮像装置における基準クロックに応じたドライバ能力変更の説明をするための図である。（ａ）は、基準クロックに応じてドライブ能力を線形的に変更したときの関係を示す。（ｂ）は、基準クロックに応じてドライブ能力を段階的に変更したときの関係を示す。
【００３８】
（ＣＣＤセンサの構成）
ＣＣＤセンサの構成について説明する。本実施形態では、図４に示すデジタルカメラなどに用いられるインタライン型ＣＣＤセンサを用いる。ＣＣＤセンサは、入射した光量に応じて電荷を蓄積し光信号を電気信号に変換するフォトダイオード４５ａと、フォトダイオードから電荷を受け取り垂直方向に順次転送する垂直転送路４５ｂと、垂直転送路からの電荷を水平方向に順次転送する水平転送路４５ｃと、水平転送路の最終段には電荷から電圧へ変換を行うフローティングディフュージョンアンプ（ＦＤアンプ）４５ｄからなる。撮像素子（ＣＣＤセンサ）上には、フォトダイオード４５ａが規則正しく２次元に配列され、フォトダイオード１個が１画素に相当する。１つのフォトダイオード４５ａ上には１色のカラーフィルタで覆われており、原色系ＣＣＤセンサでは、ＲＧＢのカラーフィルタが図４に示すようなベイヤ配列と呼ばれる配色によって配列されている。フォトダイオードには、カラーフィルタに応じた色の光が電荷として蓄積される。
【００３９】
＜電荷の読み出し方式＞
ＣＣＤセンサのフォトダイオードに蓄積された電荷を読み出す方式は、プログレッシブ方式とインタレース方式がある。プログレッシブ方式は、フォトダイオードに蓄積された画面全部の電荷を一回で垂直転送路に読み出す方式である。一方、インタレース方式は１ラインおきに電荷を読み出す方式であり、１枚の画像を２回に分けて読み出している（２フィールド読み出し）。インタレース方式の場合、垂直転送路が２ラインに対して１個で済むため、ＣＣＤセンサの高画素化に適している。近年ではＣＣＤセンサの更なる高画素化のために、１枚の画像を複数フィールドに分けて読み出しが行われている。図５は、一般的なＣＣＤセンサのインタレース方式の電荷読み出しを示したものである。図５（ａ）では、水平転送路側から見て奇数ラインのフォトダイオードの電荷が一斉に垂直転送路に読み出される。次に、図５（ｂ）では、垂直転送路に読み出された電荷は水平転送路方向に順次転送し、最下位の電荷は水平転送路に読み出される。図５（ｃ）では、水平転送路に読み出された電荷は、ＦＤアンプ側に順次転送されてＦＤアンプを通って１画素ずつ映像信号として出力される。奇数ラインの全ての電荷がＦＤアンプから出力されると、偶数ラインも同様にして駆動を行い電荷がＦＤアンプから読み出される。
【００４０】
＜水平転送パルスについて＞
ＴＧ１０２４から発生するＣＣＤ駆動信号について説明する。
図６は、水平転送パルスＨ１、Ｈ２およびリセットパルスＲＧとＣＣＤ出力波形を示している。
Ｈ１、Ｈ２はＣＣＤ１０１の水平転送路において電荷を転送する駆動パルスであり、Ｈ１に対しＨ２は反転したパルスとなっている。ＲＧはリセットパルスであり、水平転送路の最終段にあり、電荷から電圧へ変換を行うＦＤアンプで１画素転送するごとに一定の基準レベルに信号量をリセットし、次の画素に電荷の残りがないようにしている。
【００４１】
ＦＤアンプから出力されるＣＣＤ出力信号は、リセット部、フィードスルー部、データ部で構成されており、ＣＤＳ１０２１にて各画素でフィードスルー部とデータ部の電位差を画素の信号量としてサンプリングして、ＡＧＣ１０２２でゲインを乗算し、Ａ／Ｄにてアナログデータからデジタルデータに変換される。
【００４２】
＜ドライブ能力について＞
バッファＩＣ１５０は、ＣＣＤ１０１から出力される映像信号をドライブするドライブ回路が内蔵されたＩＣである。
バッファＩＣ１５０には、ＣＣＤ出力信号のドライブ電流を変更する機能を持っており、ドライブ電流を変更することによりドライブ能力を制御することが可能であるとする。
【００４３】
ドライブ能力を高くすると、ドライブ電流を多く流すことによりＣＣＤ出力信号の立ち上がり、立ち下がりが急峻となるが、消費電力も増加する。一方、ドライブ能力を低くすると、ドライブ電流が少なくなりＣＣＤ出力信号の立ち上がり、立ち下がりが緩やかとなり、消費電力が減少する。
【００４４】
しかし、ドライブ能力を下げ過ぎると、ＣＣＤ出力信号の立ち上がり、立ち下がりのタイミングがずれることで波形が崩れ画像不良を起こす危険性がある。ドライブ能力の切替は、バッファＩＣ１５０内にレジスタ等があり制御信号をバッファＩＣに送信してドライブ能力を変更できる場合には、カメラプロセッサ１０４からバッファＩＣ１５０にドライブ能力変更信号を送信して変更する。バッファＩＣ１５０内にレジスタ等はなく、外付けの抵抗の定数によってドライブ能力が決まるバッファＩＣの場合には、図７に示すように抵抗をシリアルに接続し（Ｒ１、Ｒ２、Ｒ３、Ｒ４）、スイッチ（ＳＷ１、ＳＷ２、ＳＷ３）を図のように配置する。
【００４５】
そしてスイッチのＯＮ／ＯＦＦ制御をカメラプロセッサ１０４から行うことで、バッファＩＣのドライブ能力変更端子に接続される抵抗定数が変更されドライブ能力を変更することが可能である。
【００４６】
またＴＧ１０２４は、ＣＣＤ駆動信号のドライブ電流を変更する機能を持っており、ドライブ電流を変更することによりドライブ能力を制御する。
【００４７】
ドライブ能力を高くすると、ドライブ電流が多く流されることにより駆動信号パルスの立ち上がり、立ち下がりが急峻となるが、消費電力も増加する。一方、ドライブ能力を低くすると、ドライブ電流が少なくなり駆動パルスの立ち上がり、立ち下がりが緩やかとなり、消費電力が減少する。
【００４８】
しかし、ドライブ能力を下げ過ぎると、駆動パルスの立ち上がり、立ち下がりのタイミングがずれることでＣＣＤの水平転送が正常に行われず、画像不良を起こす危険性がある。ドライブ能力の切替は、カメラプロセッサ１０４からＴＧ１０２４にドライブ能力変更信号を送信して変更する。
【００４９】
以上、本実施形態では水平転送パルスのドライブ能力の変更について説明したが、本実施形態はこれに限らず垂直転送パルスにも適用することが可能である。
【００５０】
（基準クロック）
ＣＣＤ駆動の基準となる基準クロック発生部は、カメラプロセッサに基準クロックを供給する。基準クロック発生部のクロックは任意に変更可能とし、基準クロック発生部からの基準クロックに比例する周期で同期信号ＨＤ、ＶＤとＴＧ１０２４のシステムクロックであるＰＩＸＣＬＫをＴＧ１０２４に供給する。ＴＧ１０２４では同期信号ＨＤ、ＶＤ、ＰＩＸＣＬＫの周期に従って水平転送パルス、垂直転送パルスをＣＣＤに供給する。
【００５１】
本発明では基準クロックに応じて、基準クロックが速いときにはドライブ能力を高くし、基準クロックが遅いときにはドライブ能力を低くするような制御を行うが、ドライブ能力の変更方法には以下の２種類の方法のいずれかを用いる。
【００５２】
＜線形的にドライブ能力を変更＞
図８（ａ）は、基準クロックに応じてドライブ能力を線形的に変更したときの関係を示したものである。ＴＧ１０２４のドライブ能力が線形的に変更できる機能を備えていることを前提とする。横軸に基準クロック（ｆ１＜ｆ２）、縦軸にドライブ能力（Ｄａ１＜Ｄａ２）を取っており、基準クロックが高くなるにつれてドライブ能力が線形的に高くなるように制御を行う。
【００５３】
＜段階的にドライブ能力を変更＞
図８（ｂ）は、基準クロックに応じてドライブ能力を段階的に変更したときの関係を示したものである。ＴＧ１０２４のドライブ能力が段階的に変更できる機能を備えていることを前提とする。横軸に基準クロック（ｆ１＜ｆ２＜ｆ３）、縦軸にドライブ能力（Ｄａ１＜Ｄａ２＜Ｄａ３）を取っている。基準クロックがｆ１≦ｆ＜ｆ２の間ではドライブ能力Ｄａ１を、ｆ２≦ｆ＜ｆ３ではドライブ能力Ｄａ２を、ｆ≧ｆ３ではドライブ能力Ｄａ３を選択し、段階的にドライブ能力を変更する。
【００５４】
本実施形態によれば、基準クロックに応じて固体撮像素子の駆動信号のドライブ能力を変更することによって、基準クロックを落とすことによる消費電力の削減とドライブ能力を低くすることによる消費電力の削減の２倍の効果が得られるとともに、基準クロックが高いときにはドライブ能力を高くすることで安定した固体撮像素子の駆動を実現することができる。
【００５５】
（ＩＳＯ感度について）
ＩＳＯ感度が高いときには、少ない信号量に対して大きなゲインをＡＧＣ１０２２にて掛けるため、駆動信号が重要となってくる。例えば、駆動信号のなまりが発生するとＣＣＤ１０１の水平転送が正常に行われず転送不良が発生し、隣の画素に電荷が残って画像の色バランスがずれたり、水平方向に帯を引いた画像不良が発生する。
【００５６】
＜ＩＳＯ感度の変更方法＞
本実施形態の撮像装置におけるＩＳＯ感度に応じたドライバ能力の変更を図９を用いて説明する。図９は、本実施形態の撮像装置におけるＩＳＯ感度に応じたドライバ能力の変更を説明するための図を示し、（ａ）は、ＩＳＯ感度に応じてドライブ能力を線形的に変更したときの関係を示す。（ｂ）は、ＩＳＯ感度に応じてドライブ能力を段階的に変更したときの関係を示す。
【００５７】
ＩＳＯ感度の変更には、操作Ｋｅｙユニットの一部にＩＳＯ感度変更の専用ボタンを設け、ＩＳＯ感度変更の専用ボタンが押されるとカメラのＩＳＯ感度設定が切り替わるようにする。また、専用ボタンの他にも、メニューボタンなどカメラ設定を変更するボタンから、カメラ設定のメニュー項目に入りＩＳＯ感度を変更するようにしてもよい。
本発明ではＩＳＯ感度に応じて、ＩＳＯ感度が高いときにはドライブ能力を高くし、ＩＳＯ感度が低いときにはドライブ能力を低くするような制御を行うが、ドライブ能力の変更方法には以下の２種類の方法の何れかを用いる。
【００５８】
＜線形的にドライブ能力を変更＞
図９（ａ）は、ＩＳＯ感度に応じてドライブ能力を線形的に変更したときの関係を示したものである。ＴＧ１０２４のドライブ能力が線形的に変更できる機能を備えていることを前提とする。横軸にＩＳＯ感度（ＩＳＯ１＜ＩＳＯ２）、縦軸にドライブ能力（Ｄａ１＜Ｄａ２）を取っており、ＩＳＯ感度が高くなるにつれてドライブ能力が線形的に高くなるように制御を行う。
【００５９】
＜段階的にドライブ能力を変更＞
図９（ｂ）は、ＩＳＯ感度に応じてドライブ能力を段階的に変更したときの関係を示したものである。ＴＧ１０２４のドライブ能力が段階的に変更できる機能を備えていることを前提とする。横軸にＩＳＯ感度（ＩＳＯ１＜ＩＳＯ２＜ＩＳＯ３）、縦軸にドライブ能力（Ｄａ１＜Ｄａ２＜Ｄａ３）を取っている。ＩＳＯ感度がＩＳＯ１≦ＩＳＯ＜ＩＳＯ２の間ではドライブ能力Ｄａ１を、ＩＳＯ２≦ＩＳＯ＜ＩＳＯ３ではドライブ能力Ｄａ２を、ＩＳＯ≧ＩＳＯ３ではドライブ能力Ｄａ３を選択し、段階的にドライブ能力を変更する。
【００６０】
本実施形態によれば、ＩＳＯ感度に応じて固体撮像素子の駆動信号のドライブ能力を変更することによって、ＩＳＯ感度が高いときにはドライブ能力を高くし画像不良を防ぎ、ＩＳＯ感度が低いときにはドライブ能力を低くし消費電力の削減を図ることができる。
【００６１】
（電源種別）
本実施形態の撮像装置のドライバ能力の変更について図１０を用いて説明する。
図１０は、本実施形態の撮像装置における電源種別に応じたドライバ能力変更を説明する図である。（ａ）は、電源電圧に応じてドライブ能力を線形的に変更したときの関係を示す。（ｂ）は電源電圧に応じてドライブ能力を段階的に変更したときの関係を示す。
【００６２】
デジタルカメラでの電源としては、電池電源（リチウムイオン、アルカリ乾電池）やＡＣ電源（ＡＣアダプタ）がある。ＡＣ電源では、家庭用コンセントなどから常時電源が供給されるために問題ないが、電池電源では、デジタルカメラの使用を続けると電源電圧が低下を続け、機器が使用不可能な電圧に達すると機器を終了処理する。機器の消費電力を抑えることで、電池電源の消費を減らし機器を長時間使用することが可能となる。本発明では、電池電源とＡＣ電源でドライブ能力を変更し、電池電源でより長時間機器を使用できることを目的とする。
【００６３】
デジタルカメラの電池挿入部には、電池電源とＡＣ電源を判別する電源種類判別手段を備え、ＡＣ電源が接続されたと検知したときにはドライブ能力を高くし、電池電源の場合にはドライブ能力を低くする。
また、電池残量は電源電圧と相関があるため下記のように2種類の何れかの方法でドライブ能力を変更してもよい。
【００６４】
＜線形的にドライブ能力を変更＞
図１０（ａ）は、電源電圧に応じてドライブ能力を線形的に変更したときの関係を示したものである。ＴＧ１０２４のドライブ能力が線形的に変更できる機能を備えていることを前提とする。横軸に電源電圧（ｖ１＜ｖ２）、縦軸にドライブ能力（Ｄａ１＜Ｄａ２）を取っており、電源電圧が高くなるにつれてドライブ能力が線形的に高くなるように制御を行う。
【００６５】
＜段階的にドライブ能力を変更＞
図１０（ｂ）は、電源電圧に応じてドライブ能力を段階的に変更したときの関係を示したものである。ＴＧ１０２４のドライブ能力が段階的に変更できる機能を備えていることを前提とする。横軸に電源電圧（ｖ１＜ｖ２＜ｖ３）、縦軸にドライブ能力（Ｄａ１＜Ｄａ２＜Ｄａ３）を取っている。電源電圧がｖ１≦ｖ＜ｖ２の間ではドライブ能力Ｄａ１を、ｖ２≦ｖ＜ｖ３ではドライブ能力Ｄａ２を、ｖ≧ｖ３ではドライブ能力Ｄａ３を選択し、段階的にドライブ能力を変更する。
【００６６】
本実施形態によれば、カメラの電源種別に応じて固体撮像素子の駆動信号のドライブ能力を変更することによって、ＡＣアダプタなどの常時電源が供給される場合にはドライブ能力を高くし、電池電源のときにはドライブ能力を低くすることで、電池電源での消費電力を削減しカメラの駆動時間を伸ばすことが可能である。また、電池残量に応じてドライブ能力を変更することによって更なるカメラの駆動時間の延長が可能である。
【００６７】
（環境温度）
本実施形態の撮像装置のドライバ能力の変更について図１１を用いて説明する。
図１１は、本実施形態の撮像装置における環境温度に応じたドライバ能力変更を説明する図である。（ａ）は、環境温度に応じてドライブ能力を線形的に変更したときの関係を示す。（ｂ）は、環境温度に応じてドライブ能力を段階的に変更したときの関係を示す。
【００６８】
温度によって配線回路の抵抗値は変化し、抵抗値が高くなるとドライブ能力を上げる必要がある。一方、抵抗値が低くなるとドライブ能力を下げることが可能となる。温度が上がると抵抗値は上がり、温度が下がると抵抗値は下がる。よって、環境温度が下がったときには、ドライブ能力を下げることが出来る。
【００６９】
＜環境温度検出＞
環境温度を検出するためにカメラ内部に温度センサ１２４を備える。温度センサ１２４では常時環境温度を検知し、カメラプロセッサ１０４のＣＰＵブロックは定期的に温度センサ１２４から温度データを読み出し環境温度を取得する。取得した環境温度に応じて、環境温度が高いときにはドライブ能力を高くし、環境温度が低いときにはドライブ能力を低くするような制御を行うが、ドライブ能力の変更方法には以下の２種類の方法の何れかを用いる。
【００７０】
＜線形的にドライブ能力を変更＞
図１１（ａ）は、環境温度に応じてドライブ能力を線形的に変更したときの関係を示したものである。ＴＧ１０２４のドライブ能力が線形的に変更できる機能を備えていることを前提とする。横軸に環境温度（ｔ１＜ｔ２）、縦軸にドライブ能力（Ｄａ１＜Ｄａ２）を取っており、環境温度が高くなるにつれてドライブ能力が線形的に高くなるように制御を行う。
【００７１】
＜段階的にドライブ能力を変更＞
図１１（ｂ）は、環境温度に応じてドライブ能力を段階的に変更したときの関係を示したものである。ＴＧ１０２４のドライブ能力が段階的に変更できる機能を備えていることを前提とする。横軸に環境温度（ｔ１＜ｔ２＜ｔ３）、縦軸にドライブ能力（Ｄａ１＜Ｄａ２＜Ｄａ３）を取っている。環境温度がｔ１≦ｔ＜ｔ２の間ではドライブ能力Ｄａ１を、ｔ２≦ｔ＜ｔ３ではドライブ能力Ｄａ２を、ｔ≧ｔ３ではドライブ能力Ｄａ３を選択し、段階的にドライブ能力を変更する。
【００７２】
本実施形態によれば、環境温度に応じて固体撮像素子の駆動信号のドライブ能力を変更することによって、環境温度が高いときにはドライブ能力を高くし、環境温度が低いときにはドライブ能力を低くすることで、環境温度が高いときに駆動パルスのなまりを防ぎ画像不良を予防し、環境温度が低いときには消費電力を削減することができる。
【００７３】
（バッテリとＡＣアダプタの判別法）
本実施形態の撮像装置のドライバ能力の変更について図１２、図１３を用いて説明する。
図１２は、図３のデジタルカメラの制御系に、電源種別判定回路と電源種別判定ポートを適用した図である。
図１３は、電源種別判定回路と電源種別判定ポートを用いてバッテリとＡＣアダプタの判別を行う構成を示したものである。
【００７４】
図１２に示すバッテリ１３１は、例えば、ニッケル水素電池、リチウムイオン電池、ニッカド（ＮｉＣｄ）電池、アルカリ電池等からなり、場合によってはＡＣアダプタ１３２より電源電圧が供給されることもある。
【００７５】
ＡＣアダプタ１３２は、電源種別判定回路１３３を介して電源電圧をデジタルカメラの内部に供給する。ＤＣ／ＤＣコンバータ１３４は、コントローラの制御により、デジタルカメラ内部に出力する各種電源をオン／オフするスイッチ回路を内蔵している。
【００７６】
図１３に示す電源種別判定回路１３３として、ＡＣアダプタ１３２、バッテリ１３１のそれぞれの接続端子の正極側にはデジタルトランジスタが接続されている。デジタルトランジスタには、ＤＣ／ＤＣコンバータ１３４からバイアスが印加されており、デジタルトランジスタがオフ（接続端子の正極側がＬｏｗ、つまりオープン）のとき、カメラプロセッサ１０４の電源種別判定ポート１０４１１に入力される信号はＨｉｇｈとなる。
【００７７】
図１３でＡＣアダプタ１３２が接続されると、ＡＣアダプタ１３２接続端子の正極側がＨｉｇｈになり、デジタルトランジスタがオンし、電源種別判定１０４１１のポート１の入力電圧がＬｏｗになる。カメラプロセッサ１０４は電源種別判定１０４１１のポート１がＬｏｗのときＡＣアダプタ１３２が接続されたと認識できる。同様に、バッテリ１３１接続端子においても、それぞれ電源種別判定１０４１１のポート２がＬｏｗのとき、バッテリ１３１が接続されたと認識できる。
【００７８】
バッテリ１３１とＡＣアダプタ１３２が同時に接続された時には、電源種別判定１０４１１のポート１と電源種別判定１０４１１のポート２がＬｏｗになる。このような場合には、電源種別判定１０４１１のポート１の重み付けを高く設定して、電源種別判定１０４１１のポート１がＬｏｗのときには他の電源種別判定ポート１０４１１の入力信号を使用しないようにし、ＡＣアダプタ１３２が接続されたと認識すればよい。
【００７９】
（画像サイズについて）
本実施形態の撮像装置のドライバ能力の変更について図１４を用いて説明する。
図１４は、本実施形態の撮像装置における画像サイズに応じたドライバ能力変更を説明する図である。（ａ）は、画像サイズに応じてドライブ能力を線形的に変更したときの関係を示す。（ｂ）は、画像サイズに応じてドライブ能力を段階的に変更したときの関係を示す。
【００８０】
画像サイズが大きいときには、ＣＣＤ１０１から読み出された画素を全て使用するため画像品質が問われる場合が多いが、画像サイズが小さいときには、画素を間引いたり、高い圧縮率で画像を圧縮するため画像品質が多少落ちても問題ない場合が多い。
【００８１】
＜画像サイズの変更方法＞
画像サイズの変更には、操作Ｋｅｙユニットの一部に画像サイズ変更の専用ボタンを設け、画像サイズ変更の専用ボタンが押されるとカメラの画像サイズ設定が切り替わるようにする。
【００８２】
また、専用ボタンの他にも、メニューボタンなどカメラ設定を変更するボタンから、カメラ設定のメニュー項目に入り画像サイズを変更するようにしてもよい。
【００８３】
本発明では画像サイズに応じて、画像サイズが大きいときにはドライブ能力を高くし、画像サイズが小さいときにはドライブ能力を低くするような制御を行うが、ドライブ能力の変更方法には以下の２種類の方法の何れかを用いる。
【００８４】
＜線形的にドライブ能力を変更＞
図１４（ａ）は、画像サイズに応じてドライブ能力を線形的に変更したときの関係を示したものである。ＴＧ１０２４のドライブ能力が線形的に変更できる機能を備えていることを前提とする。
【００８５】
横軸に画像サイズ（Ｓ１＜Ｓ２）、縦軸にドライブ能力（Ｄａ１＜Ｄａ２）を取っており、画像サイズが大きくなるにつれてドライブ能力が線形的に高くなるように制御を行う。
【００８６】
＜段階的にドライブ能力を変更＞
図１４（ｂ）は、画像サイズに応じてドライブ能力を段階的に変更したときの関係を示したものである。ＴＧ１０２４のドライブ能力が段階的に変更できる機能を備えていることを前提とする。
【００８７】
横軸に画像サイズ（Ｓ１＜Ｓ２＜Ｓ３）、縦軸にドライブ能力（Ｄａ１＜Ｄａ２＜Ｄａ３）を取っている。
【００８８】
画像サイズがＳ１≦画像サイズ＜Ｓ２の間ではドライブ能力Ｄａ１を、Ｓ２≦画像サイズ＜Ｓ３ではドライブ能力Ｄａ２を、画像サイズ≧Ｓ３ではドライブ能力Ｄａ３を選択し、段階的にドライブ能力を変更する。
【００８９】
本実施形態によれば、画像サイズに応じて固体撮像素子の駆動信号のドライブ能力を変更することによって、画像サイズが大きいときにはドライブ能力を高くし画像品質を高め、画像サイズが小さいときにはドライブ能力を低くし消費電力の削減を図ることができる。
【図面の簡単な説明】
【００９０】
【図１】本実施形態の撮像装置におけるデジタルカメラの簡潔な外観図である。
【図２】本実施形態の撮像装置におけるデジタルカメラの詳細な外観図である。
【図３】本実施形態の撮像装置におけるデジタルカメラの制御系のブロック図である。
【図４】本実施形態の撮像装置におけるＣＣＤセンサの構成を示す図である。
【図５】本実施形態の撮像装置におけるＣＣＤセンサの駆動を説明する図である。（ａ）は、水平転送路側から垂直転送路に転送されるものを示す。（ｂ）は、垂直転送路に読み出された電荷を水平転送路方向に順次転送されるものを示す。（ｃ）は、水平転送路に読み出された電荷をＦＤアンプ側に順次転送されるものを示す。
【図６】本実施形態の撮像装置における水平転送パルスを示す図である。
【図７】本実施形態の撮像装置におけるバッファＩＣのドライブ能力変更の制御を示す図である。
【図８】本実施形態の撮像装置における基準クロックに応じたドライバ能力変更の説明をするための図である。（ａ）は、基準クロックに応じてドライブ能力を線形的に変更したときの関係を示す。（ｂ）は、基準クロックに応じてドライブ能力を段階的に変更したときの関係を示す。
【図９】本実施形態の撮像装置におけるＩＳＯ感度に応じたドライバ能力変更を説明するための図である。（ａ）は、ＩＳＯ感度に応じてドライブ能力を線形的に変更したときの関係を示す。（ｂ）は、ＩＳＯ感度に応じてドライブ能力を段階的に変更したときの関係を示す。
【図１０】本実施形態の撮像装置における電源種別に応じたドライバ能力変更を説明する図である。（ａ）は、電源電圧に応じてドライブ能力を線形的に変更したときの関係を示す。（ｂ）は電源電圧に応じてドライブ能力を段階的に変更したときの関係を示す。
【図１１】本実施形態の撮像装置における環境温度に応じたドライバ能力変更を説明する図である。（ａ）は、環境温度に応じてドライブ能力を線形的に変更したときの関係を示す。（ｂ）は、環境温度に応じてドライブ能力を段階的に変更したときの関係を示す。
【図１２】本実施形態の撮像装置の制御系に、電源種別判定回路と電源種別判定ポートを適用した図である。
【図１３】本実施形態の撮像装置における電源種別判定回路と電源種別判定ポートを用いてバッテリとＡＣアダプタの判別を行う構成を示したものである。
【図１４】本実施形態の撮像装置における画像サイズに応じたドライバ能力変更を説明する図である。（ａ）は、画像サイズに応じてドライブ能力を線形的に変更したときの関係を示す。（ｂ）は、画像サイズに応じてドライブ能力を段階的に変更したときの関係を示す。
【符号の説明】
【００９１】
１    サブＬＣＤ
２    レリーズボタン
３    ストロボ発光部
４    撮影／再生切換ダイアル
５    測距ユニット
６    リモコン受光部
７    鏡胴ユニット
７１    ＺＯＯＭ光学系
７０１    ＺＯＯＭレンズ
７１１    ＺＯＯＭモータ
７２    ＦＯＵＣＡＳ光学系
７０２    ＦＯＵＣＡＳレンズ
７１２    ＦＯＵＣＡＳモータ
７３    絞りユニット
７０３    絞り
７１３    絞りモータ
７４    メカシャッタユニット
７０４    メカシャッタ
７１４    メカシャッタモータ
８    ＡＦＬＥＤ
９    ストロボＬＥＤ
１０    ＬＣＤモニタ
１１    光学ファインダ
１２    ズームボタン
１３    電源スイッチ
１４    操作部
１５    セルフタイマ
１６    メニュースイッチ
１７    ＯＫスイッチ
１８    画像確認スイッチ
１９    マクロスイッチ
２０    ストロボスイッチ
２１    右スイッチ
２２    ディスプレイスイッチ
１０１    ＣＣＤ
１０２    Ｆ／Ｅ−ＩＣ
１０２１    ＣＤＳ
１０２２    ＡＤＣ
１０２３    Ａ／Ｄ
１０２４    ＴＧ
１０３    ＳＤＲＡＭ
１０４    デジタルスチルカメラプロセッサ
１０４０    メモリカードコントローラブロック
１０４１    第１ＣＣＤ信号処理ブロック
１０４２    第２ＣＣＤ信号処理ブロック
１０４３    ＣＰＵブロック
１０４４    ＬｏｃａｌＳＲＡＭ
１０４５    ＵＳＢブロック
１０４６    シリアルブロック
１０４７    ＪＰＥＧＣＯＤＥＣブロック
１０４８    ＲＥＳＩＥＺＥブロック
１０４９    ＴＶ信号表示ブロック
１０７    ＲＡＭ
１０８    ＲＯＭ
１０９    ＳＵＢ−ＣＰＵ
１１１    ＬＣＤドライバ
１１３    ブザー
１１４    ストロボ回路
１１５１    音声記録回路
１１５２    マイクＡＭＰ
１１５３    マイク
１１６１    音声再生回路
１１６２    オーディオＡＭＰ
１１６３    スピーカ
１１５    音声記録ユニット
１１６    音声再生ユニット
１１７    ＬＣＤドライバ
１１８    ビデオＡＭＰ
１１９    ビデオジャック
１２０    内蔵メモリ
１２１０    メモリカードスロットル
１２１１    メモリカード
１２２    ＵＳＢコネクタ
１２３１    シリアルドライバ回路
１２３２    ＲＳ−２３２ｃコネクタ
１２４    温度センサ
１３１    バッテリ
１３２    ＡＣアダプタ
１３３    電源種別判定回路
１３４    ＤＣ／ＤＣコンバータ
１５０    バッファＩＣ
【図１】
2008236718.tif 000003
【図２】
2008236718.tif 000004
【図３】
2008236718.tif 000005
【図４】
2008236718.tif 000006
【図５】
2008236718.tif 000007
【図６】
2008236718.tif 000008
【図７】
2008236718.tif 000009
【図８】
2008236718.tif 000010
【図９】
2008236718.tif 000011
【図１０】
2008236718.tif 000012
【図１１】
2008236718.tif 000013
【図１２】
2008236718.tif 000014
【図１３】
2008236718.tif 000015
【図１４】
2008236718.tif 000016